(57)【要約】  【課題】  電極がパターニングされた基板上に存在する異物（汚染）を有効に除去することができる配線基板の洗浄方法、発光装置の製造方法を提案する。  【解決手段】  基板２０上に電極２３が配置された配線基板７０を洗浄する方法であって、電極２３上の異物をエッチング液を用いて除去する。エッチング液としては、アルカリエッチング液を用いることができる。エッチング液としては、例えば、水酸化カリウム、水酸化テトラメチルアンモニウム等を含む水溶液を用いる。  【選択図】  図３
2006253053.tif 000002
【特許請求の範囲】
【請求項１】
基板上に電極が配置された配線基板を洗浄する方法であって、
前記電極上の異物を、エッチング液を用いて除去することを特徴とする配線基板の洗浄方法。
【請求項２】
前記エッチング液は、アルカリエッチング液であることを特徴とする請求項１に記載の配線基板の洗浄方法。
【請求項３】
前記エッチング液は、水酸化カリウム、水酸化テトラメチルアンモニウム、水酸化リチウム、又は水酸化カルシウムを含むことを特徴とする請求項２に記載の配線基板の洗浄方法。
【請求項４】
基板上に第１電極を形成する工程と、
前記第１電極上に有機機能層を形成する工程と、
前記有機機能層上に第２電極を形成する工程と、
を有する発光装置の製造方法において、
前記第１電極上に前記有機機能層を形成するに先立って、前記第１電極上の異物を除去する方法として、請求項１から請求項３のうちいずれか一項に記載の配線基板の洗浄方法を用いることを特徴とする発光装置の製造方法。
【発明の詳細な説明】
【技術分野】
【０００１】
本発明は、基板上に透明電極が配置された配線基板を洗浄する方法、及びこれを用いた発光装置の製造方法に関する。
【背景技術】
【０００２】
有機エレクトロルミネッセンス（以下、有機ＥＬと称する。）装置は、薄膜を積層した構造を有する自発光型の高速応答性表示素子を備えるため、軽くて動画対応に優れた表示パネルを形成でき、近年ではＦＰＤ（Flat Panel Display）等の表示パネルとして、非常に注目されている。
その代表的な製造方法としては、ＩＴＯ（インジウム−スズ酸化物）等の透明陽極を所望の形状にパターニングし、更に透明陽極上に蒸着法を用いて有機材料を積層成膜し、その後に陰極を形成する方法が知られている。
【０００３】
このようなＦＰＤデバイスの製造工程や、マイクロプロセッサー、メモリー等の半導体デバイスの製造工程では、ガラスやシリコン等の基板表面に微細な回路パターン等を形成するため、基板表面に存在する微量な異物（汚染）を除去することが必要となる。このため、非特許文献１等に開示されるように、基板表面をアンモニア洗浄やアンモニア過水洗浄することにより、異物を除去する方法が用いられている。
【非特許文献１】伴保隆、「シリコンＬＳＩと化学」、社団法人日本化学会編、1993.10.10、  p220-p226
【発明の開示】
【発明が解決しようとする課題】
【０００４】
しかしながら、有機ＥＬ表示パネルの製造工程において、ＩＴＯ等から形成される電極をパターニングした基板（以下、ＩＴＯ基板と称する）をアンモニア水溶液等のアルカリ性溶液により洗浄したとしても、ＩＴＯ基板上の異物を有効に除去することができないことが、発明者により確認された。ＩＴＯ基板上の異物としては、ＩＴＯ基板を分割切断した際に発生した基板の欠片や、油汚れ等である。
このような異物がＩＴＯ基板上に存在すると、製造された有機ＥＬ表示パネルの発光素子では、低電圧において過剰な電流が流れたり、ダークスポットと呼ばれる非発光領域等が発生したりして、発光素子の効率低下や寿命低下が発生するという問題がある。
【０００５】
本発明は、上述した事情に鑑みてなされたもので、電極がパターニングされた基板上に存在する異物（汚染）を有効に除去することができる配線基板の洗浄方法、発光装置の製造方法を提案することを目的とする。
【課題を解決するための手段】
【０００６】
本発明に係る配線基板の洗浄方法、発光装置の製造方法では、上記課題を解決するために以下の手段を採用した。
第１の発明は、基板上に電極が配置された配線基板を洗浄する方法であって、前記電極上の異物を、エッチング液を用いて除去するようにした。
この発明によれば、配線基板を洗浄して配線上に付着した異物を取り除く際に、アンモニア洗浄やアンモニア過水洗浄では除去できなかった異物であっても、効率よく除去することが可能となる。これにより、配線上に発光層を含む有機機能層を良好に形成されるので、有機機能層（発光層）のダークスポットの発生防止や、有機機能層の長寿命化を実現することが可能となる。
エッチング液としては、アルカリエッチング液を用いることができる。具体的には、例えば、前記エッチング液として、水酸化カリウム、水酸化テトラメチルアンモニウム、水酸化リチウム、又は水酸化カルシウムを含む水溶液等を用いることができる。
【０００７】
第２の発明は、基板上に第１電極を形成する工程と、前記第１電極上に有機機能層を形成する工程と、前記有機機能層上に第２電極を形成する工程と、を有する発光装置の製造方法において、前記第１電極上に前記有機機能層を形成するに先立って、前記第１電極上の異物を除去する方法として、第１の発明の配線基板の洗浄方法を用いるようにした。
この発明によれば、配線基板上に有機機能層を形成するに先立って、配線基板をエッチング液により洗浄するので、配線上の異物が効果的に除去される。これにより、有機機能層（発光層）のダークスポットの発生防止や、有機機能層の長寿命化を実現できるので、高品質、長寿命の発光装置を得ることができる。
【発明を実施するための最良の形態】
【０００８】
以下、本発明の配線基板の洗浄方法、発光装置の製造方法の実施形態について図を参照して説明する。
図１は、本実施形態に係る有機ＥＬ装置の配線構造を示す模式図である。
有機ＥＬ装置（発光装置）１は、スイッチング素子として薄膜トランジスタ（Thin Film Transistor、以下では、ＴＦＴと略記する）を用いたアクティブマトリクス方式の有機ＥＬ装置である。なお、以下に示す各図においては、各層や各部材を図面上で認識可能な程度の大きさとするため、各層や各部材ごとに縮尺を異ならせてある。
【０００９】
有機ＥＬ装置１は、複数の走査線１０１と、各走査線１０１に対して直角に交差する方向に延びる複数の信号線１０２と、各信号線１０２に並列に延びる複数の電源線１０３とがそれぞれ配線された構成を有すると共に、走査線１０１と信号線１０２の各交点付近に、画素領域Ｘが設けられている。
【００１０】
信号線１０２には、シフトレジスタ、レベルシフタ、ビデオライン及びアナログスイッチを備えるデータ線駆動回路１００が接続されている。また、走査線１０１には、シフトレジスタ及びレベルシフタを備える走査線駆動回路８０が接続されている。
更に、画素領域Ｘの各々には、走査線１０１を介して走査信号がゲート電極に供給されるスイッチング用ＴＦＴ１１２と、このスイッチング用ＴＦＴ１１２を介して信号線１０２から共有される画素信号を保持する保持容量１１３と、該保持容量１１３によって保持された画素信号がゲート電極に供給される駆動用ＴＦＴ１２３と、この駆動用ＴＦＴ１２３を介して電源線１０３に電気的に接続したときに該電源線１０３から駆動電流が流れ込む陽極２３と、この陽極２３と陰極５０との間に挟み込まれた発光機能層１１０とが設けられている。
発光機能層（有機機能層）１１０は、有機エレクトロルミネッセンス素子に相当するものであり、陽極２３及び陰極５０から注入される正孔と電子が結合することで、発光現象が生じるようになっている。
【００１１】
この有機ＥＬ装置１によれば、走査線１０１が駆動されてスイッチング用ＴＦＴ１１２がオン状態になると、そのときの信号線１０２の電位が保持容量１１３に保持され、該保持容量１１３の状態に応じて、駆動用ＴＦＴ１２３のオン・オフ状態が決まる。そして、駆動用ＴＦＴ１２３のチャネルを介して、電源線１０３から陽極２３に電流が流れ、更に発光機能層１１０を介して陰極５０に電流が流れる。発光機能層１１０は、これを流れる電流量に応じて発光する。そこで、発光はそれぞれ陽極２３毎にオン・オフを制御されるから、陽極２３は画素電極となっている。
【００１２】
次に、本実施形態の有機ＥＬ装置１の具体的な態様を、図２及び図３を参照して説明する。図２は有機ＥＬ装置１の構成を模式的に示す平面図、図３は図２の表示領域Ｒ、Ｇ、Ｂの側断面の一部を示す図である。
【００１３】
図２に示すように、有機ＥＬ装置１は、電気絶縁性を備える基板２０と、当該基板２０よりも小さいサイズの封止基板３０と、が対向配置された構成となっている。基板２０と封止基板３０との間には、封止樹脂層４０（図３参照）が配置されており、両基板２０，３０を貼り合わせて接着させた構成となっている。
【００１４】
基板２０上には、スイッチング用ＴＦＴ（不図示）に接続された陽極２３が基板２０上にマトリックス状に配置されてなる画素電極領域（不図示）と、画素電極領域の周囲に配置されると共に各陽極２３に接続される電源線１０３（図１参照）と、少なくとも画素電極領域上に位置する平面視ほぼ矩形の画素部３（図中一点鎖線枠内）とが形成されている。
また、画素部３は、中央部分の表示領域４（図中二点鎖線枠内）と、表示領域４の周囲に配置されたダミー領域５（一点鎖線及び二点鎖線の間の領域）とに区画されている。
【００１５】
表示領域４には、それぞれ陽極２３を有する表示領域Ｒ、Ｇ、Ｂが離間して配置されている。また、表示領域４の図中両側には、走査線駆動回路８０が配置されている。この走査線駆動回路８０はダミー領域５の下側に位置して設けられている。
更に、表示領域４の図中上側には、検査回路９０が配置されている。この検査回路９０はダミー領域５の下側に位置して設けられている。この検査回路９０は、有機ＥＬ装置１の作動状況を検査するための回路であって、例えば検査結果を外部に出力する不図示の検査情報出力手段を備え、製造途中や出荷時の装置の品質、欠陥の検査を行うことができるように構成されている。
【００１６】
走査線駆動回路８０及び検査回路９０の駆動電圧は、所定の電源部から電源線１０３を駆動用ＴＦＴ１２３（図３参照）に印加されようになっている。また、これら走査線駆動回路８０及び検査回路９０への駆動制御信号や駆動電圧は、有機ＥＬ装置１の作動制御を司る所定のメインドライバ等から印加されるようになっている。なお、この場合の駆動制御信号とは、走査線駆動回路８０及び検査回路９０が信号を出力する際の制御に関連するメインドライバなどからの指令信号である。
【００１７】
図３に示すように、有機ＥＬ装置１は、基板２０と封止基板３０とが封止樹脂層４０によって貼り合わされて構成されている。
基板２０としては透明基板が採用され、封止基板３０としては金属製基板が採用される。これにより、有機ＥＬ装置１は、発光機能層１１０における有機ＥＬ層（発光素子）６０を発光させ、当該発光光を基板２０に透過させて出射する、所謂ボトムエミッション型の有機ＥＬ装置となる。
【００１８】
基板２０としては、無アルカリガラスを材料とするガラス基板が採用される。そして、基板２０の表面には、不図示の下地絶縁膜を介して駆動用ＴＦＴ１２３が形成され、更に、当該駆動用ＴＦＴ１２３を埋設するように層間絶縁層２１が形成されている。
【００１９】
基板２０上に形成された駆動用ＴＦＴ１２３は、陽極２３を駆動するための駆動用スイッチング素子として機能するものである。駆動用ＴＦＴ１２３は、公知のＴＦＴ製造技術を用いることにより形成されており、不純物がドーピングされたシリコン膜、ゲート電極、ゲート絶縁膜等が積層された部材である。更に、駆動用ＴＦＴ１２３は、表示領域Ｒ、Ｇ、Ｂの位置に対応して設けられており、後述するように陽極２３に各々接続している。
【００２０】
層間絶縁層２１は、透明性樹脂材料からなることが好ましく、また、加工性が良好な材料からなることが好ましい。例えば、熱硬化樹脂の一種であるエポキシ樹脂やアクリル樹脂等を採用することが好ましい。
また、層間絶縁層２１においては、陽極２３との界面が高精度に平坦化されていることが好ましく、平坦化を達成するために複数の工程を経て積層形成された構成でもよい。
また、層間絶縁層２１には駆動用ＴＦＴ１２３と陽極２３の位置に応じてコンタクトホールが形成されており、当該コンタクトホールには陽極２３と接続する接続配線が埋設される。
なお、層間絶縁層２１によって被覆される各種回路部には、走査線駆動回路８０、検査回路９０、及びそれらを接続して駆動するための駆動電圧動通部や、駆動制御信号導通部等が含まれている。
【００２１】
陽極２３（電極、第１電極）は、透明電極材料によって構成され、印加された電圧によって、正孔を発光層６０に向けて注入するものであり、仕事関数が高く導電性を有している。
陽極２３を形成するための材料としては、例えば、金属酸化物が挙げられるが、インジウム錫酸化物（ＩＴＯ）、もしくは、金属酸化物に亜鉛（Ｚｎ）を含有した材料、例えば、酸化インジウム・酸化亜鉛系アモルファス透明導電膜（Indium Zinc Oxide、ＩＺＯ／アイ・ゼット・オー：登録商標）を採用できる。
なお、透明電極材料に限るものではなく、トップエミッション型の有機ＥＬ装置の場合には、特に光透過性を備えた材料を採用する必要はなく、好適な材料であればよい。
そして、陽極２３は、は、層間絶縁層２１に形成されたコンタクトホールの接続配線を介して、駆動用ＴＦＴ１２３と接続する。
なお、基板２０上に、駆動用ＴＦＴ１２３、層間絶縁層２１、陽極２３が形成された状体のものを、ＩＴＯ基板７０と称する。
【００２２】
そして、ＩＴＯ基板（配線基板）７０の表面、すなわち、陽極２３が形成された層間絶縁層２１の表面には、ＳｉＯ２等の親液性材料を主体とする親液性制御層６２と、アクリル樹脂やポリイミド樹脂等からなるバンク層（隔壁）７０と、発光機能層１１０とが配置される。
陽極２３の間には、その回りを取り囲むようにバンク層６４が２次元的に配置される。また、陽極２３の上層には、発光機能層１１０が形成される。すなわち、複数の発光機能層１１０がバンク層６４によって仕切られる構成となっている。
陽極２３の上層に形成される発光機能層１１０は、陽極２３と陰極５０に挟まれる多層構造を備えており、陽極２３側から順に、正孔輸送層６６、発光層６０を順に形成されたものである。
【００２３】
正孔輸送層６６は、導電性高分子材料の一つであり、陽極２３の正孔を発光層６０に注入するための正孔輸送層６６を構成するものであり、その膜厚は、３０ｎｍに形成されている。このような正孔輸送層６６を形成する材料としては、特に３，４−ポリエチレンジオシチオフェン／ポリスチレンスルフォン酸（ＰＥＤＯＴ／ＰＳＳ）の分散液、すなわち、分散媒としてのポリスチレンスルフォン酸に３，４−ポリエチレンジオキシチオフェンを分散させ、さらにこれを水に分散させた分散液が好適に用いられる。なお、正孔輸送層６６の形成材料としては、前記のものに限定されることなく種々のものが使用可能である。例えば、ポリスチレン、ポリピロール、ポリアニリン、ポリアセチレンやその誘導体などを、適宜な分散媒、例えば前記のポリスチレンスルフォン酸に分散させたものなどが使用可能である。
【００２４】
発光層６０は、発光機能層１１０を構成するものであり、陽極２３から正孔輸送層６６を経て注入された正孔と、陰極５０からの注入された電子とが結合して蛍光を発生させるようになっている。
このような発光層６０を形成するための材料としては、蛍光あるいは燐光を発光することが可能な公知の発光材料を用いることができる。具体的には、ポリフルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などが好適に用いられる。また、これらの高分子材料に、ペリレン系色素、クマリン系色素、ローダミン系色素などの高分子系材料、例えば、ルブレン、ペリレン、９，１０-ジフェニルアントラセン、テトラフェニルブタジエン、ナイルレッド、クマリン６、キナクリドン等の材料をドープして用いることもできる。
また、本実施形態の有機ＥＬ装置１は、カラー表示を行うべく構成されている。即ち、光の三原色Ｒ、Ｇ、Ｂに対応する表示領域Ｒ、Ｇ、Ｂ毎に各発光層６０が、それぞれ三原色に対応して形成され、発光層６０Ｒ，６０Ｇ，６０Ｂを構成している。
【００２５】
なお、発光層６０の表面に、電子注入／輸送層を設けた構成を採用してもよい。電子注入／輸送層は、発光層６０に電子を注入する役割を果たすものであり、この形成材料としては、特に限定されることなく、オキサジアゾール誘導体、アントラキノジメタン及びその誘導体、ベンゾキノン及びその誘導体、ナフトキノン及びその誘導体、アントラキノン及びその誘導体、テトラシアノアンスラキノジメタン及びその誘導体、フルオレノン誘導体、ジフェニルジシアノエチレン及びその誘導体、ジフェノキノン誘導体、８−ヒドロキシキノリン及びその誘導体の金属錯体等が例示される。
なお、電子注入／輸送層は、光透過性を有する程度の膜厚であることが好ましい。このようにすれば陰極５０によって反射する発光光が遮蔽されることがなく、発光強度の低下を防止できる。
【００２６】
また、陰極５０（第２電極）は、表示領域４及びダミー領域５の総面積より広い面積を備え、それぞれを覆うように形成されている。陰極５０は、陽極２３の対向電極として、電子を発光層６０に注入する機能を備える。
陰極５０を形成する材料としては、例えばカルシウム金属又はカルシウムを主成分とする合金を発光層６０側に積層して第１の陰極層とし、その上層にアルミニウム又はアルミニウムを主成分とする合金、もしくは銀又は銀−マグネシウム合金などを積層して第２の陰極層とした積層体を採用できる。なお、第２の陰極層は第１の陰極層を覆って、酸素や水分などとの化学反応から保護すると共に、陰極５０の導電性を高めるために設けられる。従って、陰極５０は化学的に安定で仕事関数が低く電気抵抗が低い材料を用いる場合には、単層構造でもよく、また金属材料に限るものではない。
【００２７】
そして、陰極５０の表面には、封止樹脂層４０及び封止基板３０が配置される。
封止樹脂層４０は、基板２０と封止基板３０を接着して貼り合わせるものである。また、封止樹脂層４０は、発光層６０等への酸素及び水分の侵入を防止する機能や、陰極５０を構成する無機材料と不安定なバンク層６４との界面の接着性を向上して陰極５０の剥離を防止する機能も有する。
封止樹脂層４０の具体的な材料としては、親油性で低吸水性を有する高分子材料が好適に採用される。例えば、熱硬化性を有するアクリル系、エポキシ系、ウレタン系、ポリオレフィン系等の樹脂材料が採用される。また、硬化剤と、モノマー／オリゴマー樹脂材料とを混合させて硬化させる、２液硬化性の樹脂材料を採用してもよい。
【００２８】
封止基板３０としては、金属製基板が採用される。具体的には、封止基板３０は、鉄−ニッケル合金や鉄−ニッケル−コバルト合金からなり、コバール、４２ニッケルアロイ、及び３６ニッケルアロイのうちのいずれかを採用することが好ましい。
【００２９】
このような構成を有する有機ＥＬ装置１においては、電源線１０３（図１参照）から駆動電流が発光機能層１１０の陽極２３に流れ込むと、陽極２３と陰極５０の間に電位差が生じ、陽極２３の正孔が発光層６０に注入され、陰極５０の電子が発光層６０に注入されるので、発光層６０に注入された正孔と電子とが結合することにより、発光層６０は発光する。そして、発光層６０の発光光は、基板２０を透過して表示領域４へ出射される。
【００３０】
次に、本実施形態に係る有機ＥＬ装置１の製造方法の一例について、図４を参照して説明する。図４に示す各断面図は、図２中のＡ−Ｂ線の断面図に対応した図である。
【００３１】
まず、図４（ａ）に示すように、基板２０上に駆動用ＴＦＴ１２３及び層間絶縁層２１を形成し、更に、駆動用ＴＦＴ１２３、層間絶縁層２１が形成された基板２０の全面を覆うように、陽極２３となる透明導電膜が形成される。そして、この透明導電膜をパターニングすることにより、層間絶縁層２１のコンタクトホールの接続配線を介して、陽極２３と駆動用ＴＦＴ１２３が導通される。
これにより、ＩＴＯ基板７０が形成される。
【００３２】
次に、ＩＴＯ基板７０を必要に応じて、複数に分割（ダイシング）する。この際、ＩＴＯ基板７０の表面には、ダイシング処理時に発生するＩＴＯ基板７０の欠け（チッピング）が付着してしまう。また、同時に、作業者等が触れることにより、ＩＴＯ基板７０の表面に油類等が付着してしまう。
このため、ダイシング処理後には、ＩＴＯ基板７０の洗浄を行われる。具体的には、ＴＭＡＨ（水酸化テトラメチルアンモニウム）水溶液を用いて、ＩＴＯ基板７０の表面を洗浄する。なお、本実施形態では、ＩＴＯ基板７０がアクティブマトリックス方式のＩＴＯ基板であるため、ＴＭＡＨを用いて洗浄を行っている。すなわち、ＩＴＯ基板７０には、駆動用ＴＦＴ１２３が形成されているため、カリウムイオンが発生する洗浄方法を避ける必要がある。駆動用ＴＦＴ１２３に存在する酸化膜がカリウムイオンに触れることにより、絶縁性が低下してしまうからである。
したがって、ＩＴＯ基板７０がパッシブマトリックス方式の場合には、ＫＯＨ（水酸化カリウム）水溶液を用いることも可能である。
また、水酸化リチウム水溶液、水酸化カルシウム水溶液、二酸化第二鉄水溶液を用いてもよい。
【００３３】
次いで、図４（ｂ）に示すように、陽極２３及び層間絶縁層２１上に絶縁層である親液性制御層６２を形成する。なお、陽極２３においては、一部が開口する態様にて親液性制御層６２が形成され、開口部分においては陽極２３からの正孔移動が可能とされている。
逆に、開口部分以外では親液性制御層６２が正孔移動遮蔽層となって正孔移動が生じないものとされる。
【００３４】
そして、図４（ｃ）に示すように、親液性制御層６２を覆うようにバンク層６４を形成する。
具体的なバンク層６４の形成方法としては、例えばアクリル樹脂、ポリイミド樹脂などのレジストを溶媒に溶解したものを、スピンコート法、ディップコート法などの各種塗布法により塗布して有機質層を形成する。更に、有機質層をフォトリソグラフィ技術、エッチング技術を用いてパターニングし、有機質層に開口を形成することにより、バンク層６４を形成する。更に、バンク層６４の表面には、親液性を示す領域と、撥液性を示す領域とが形成される。
【００３５】
次いで、図４（ｄ）に示すように、バンク層６４の開口、すなわち陽極２３上に、正孔輸送層６６及び発光層６０を形成する。
正孔輸送層形成工程では、例えばインクジェット法等の液滴吐出法や、スピンコート法などにより、正孔輸送層材料を陽極２３上に塗布し、その後、乾燥処理および熱処理を行い、正孔輸送層６６を形成する。
また、発光層形成工程では、例えばインクジェット法により、発光層形成材料を正孔輸送層６６上に吐出し、その後、乾燥処理および熱処理を行うことにより、発光層６０を形成する。
【００３６】
次いで、図４（ｅ）に示すように、陰極５０の形成を行う。例えば、イオンプレーティング法等の物理気相成長法により陰極形成材料を成膜して、陰極５０とする。このとき、陰極５０は、発光層６０及びバンク層６４の上面を覆うのはもちろん、バンク層６４の外側部を形成する壁面についても、これを覆った状態となるように形成する。
【００３７】
そして、最後に、基板２０と封止基板３０の貼り合わせを行う。
ここでは、まず、基板２０上に形成した陰極５０の面上に、陰極５０を覆う様に封止樹脂層４０を配置した後、減圧雰囲気下において封止基板３０を封止樹脂層４０上に配置し接着することによって行う。
この様に減圧雰囲気下で接着を行うことにより、封止樹脂層４０と基板２０との間、もしくは、封止樹脂層４０と封止基板３０との間に気泡が入るのを防止できる。このため、気泡を介して発光層６０に酸素及び水分が侵入することを防止し、発光層６０の発光特性や寿命が低下するのを抑制できる。なお、封止樹脂層４０の硬化（接着）は基板２０をホットプレートにより６０℃に加熱することで行う。
【００３８】
上述した有機ＥＬ装置１は、その製造工程において、ＩＴＯ基板７０の陽極２３上に発光機能層１１０を形成するに先立ってＩＴＯ基板７０を、ＴＭＡＨやＫＯＨ等のエッチング液により洗浄しているので、陽極２３上の異物が効果的に除去されている。したがって、発光機能層１１０へのダークスポットの発生防止や、発光機能層１１０の長寿命化を実現することができる。
【００３９】
ここで、図５は、ＩＴＯ基板７０の洗浄後の表面拡大図であって、図５（ａ）はＫＯＨ洗浄を施したもの、図５（ｂ）はアンモニア洗浄を施したものである。また、図６は、ＩＴＯ基板７０の洗浄方法の効果を比較する図である。なお、ここでは、パッシブマトリックス方式のＩＴＯ基板７０を用いている。
図５（ａ）に示すように、ＩＴＯ基板７０にＫＯＨ洗浄を施した場合には、その表面から異物（チッピング、油汚れ）が良好に除去されていることが確認できる。一方、図５（ｂ）に示すように、従来例であるアンモニア洗浄では、ＩＴＯ基板７０の表面に異物が残存していることが確認できる。このように、ＫＯＨ洗浄は、ＩＴＯ基板７０上の異物の除去に優れている。
更に、ＩＴＯ基板７０の洗浄方法として、スピン洗浄、ＨＮＯ３洗浄、ＲＣＡ洗浄、防塵テープによる洗浄、ブラシ洗浄を施し、それぞれの結果を比較した。図６に示すように、ＫＯＨ洗浄以外の方法では、ＩＴＯ基板７０上に付着した異物（チッピング、油汚れ）は良好に除去されていないことが確認できる。
このように、ＫＯＨ洗浄は、従来の洗浄方法に比べて、ＩＴＯ基板７０上の異物を良好に除去することができる。
【００４０】
図７は、有機ＥＬ装置１の発光機能層１１０に電圧を付加した際に流れる電流を計測した実験結果を示す図である。
有機ＥＬ装置１の陽極２３と発光機能層１１０との間に異物が存在する場合、すなわち、ＩＴＯ基板７０の洗浄が不十分な場合には、発光機能層１１０に低電圧を付加した際に、リーク電流が発生してしまう。異物を介して電流が流れてしまうからと考えられる。
図７に示すように、ＩＴＯ基板７０にＫＯＨ洗浄を施した場合には、低電圧（５Ｖ以下）では、電流は殆ど流れていないことが確認できる。一方、ＩＴＯ基板７０にアンモニア洗浄を施した場合には、３Ｖ付近において、電流（リーク電流）が流れていることが確認できる。
このように、ＫＯＨ洗浄は、ＩＴＯ基板７０上の異物の除去に優れていることが確認できる。そして、リーク電流が発生した部分がダークスポットになるため、ＩＴＯ基板７０にＫＯＨ洗浄を施した場合には、ダークスポットのない有機ＥＬ装置１を形成することができる。
【００４１】
なお、上述した有機ＥＬ装置１の実施形態では、ボトムエミッション型を例にして説明したが、本発明はこれに限定されることなく、トップエミッション型にも、また、両側に発光光を出射するタイプのものにも適用可能である。
また、アクティブマトリックス型を例にして説明したが、本発明はこれに限定されることなく、パッシブマトリックス型にも適用可能である。
【００４２】
また、本実施形態では、発光装置として、有機ＥＬ装置１の例を示したが、本発明はこれに限定されることなく、基本的に電極が基板の表面に設けられるものであれば、どのような形態の発光装置にも適用可能である。
【００４３】
次に、上述した有機ＥＬ装置１を表示部として有する電子機器について、図８を参照して説明する。
図８（ａ）は、携帯電話の一例を示した斜視図である。図８（ａ）において、携帯電話１０００は、上述した有機ＥＬ装置１を用いた表示部１００１を備える。
図８（ｂ）は、腕時計型電子機器の一例を示した斜視図である。図８（ｂ）において、時計１１００は、上述した有機ＥＬ装置１を用いた表示部１１０１を備える。
図８（ｃ）は、ワープロ、パソコンなどの携帯型情報処理装置の一例を示した斜視図である。図８（ｃ）において、情報処理装置１２００は、キーボードなどの入力部１２０１、上述した有機ＥＬ装置１を用いた表示部１２０２、情報処理装置本体（筐体）１２０３を備える。
図８（ｄ）は、薄型大画面テレビの一例を示した斜視図である。図８（ｄ）において、薄型大画面テレビ１３００は、薄型大画面テレビ本体（筐体）１３０２、スピーカーなどの音声出力部１３０４、上記有機ＥＬ装置１からなる表示部１３０６を備える。
【００４４】
このように、図８に示す電子機器１０００，１１００，１２００，１３００は、上記有機ＥＬ装置１を備えているので、表示部１００１，１１０１，１２０６，１３０６の長寿命化が図られたものとなる。
【図面の簡単な説明】
【００４５】
【図１】本実施形態に係る有機ＥＬ装置１の配線構造を示す模式図である。
【図２】有機ＥＬ装置１の構成を示す模式図である。
【図３】図２のＡ−Ｂ線に沿う断面図である。
【図４】有機ＥＬ装置１の製造方法を工程順に示す図である。
【図５】ＩＴＯ基板７０の洗浄後の表面拡大図である。
【図６】ＩＴＯ基板７０の洗浄方法の効果を比較する図である。
【図７】発光機能層１１０に流れる電流を計測した結果を示す図である。
【図８】電子機器を示す図である。
【符号の説明】
【００４６】
１…有機ＥＬ装置（発光装置）、  ２０…基板、  ２３…陽極（電極、第１電極）、  ５０…陰極（第２電極）、  ７０…ＩＴＯ基板（配線基板）、  １１０…発光機能層（有機機能層）
【図１】
2006253053.tif 000003
【図２】
2006253053.tif 000004
【図３】
2006253053.tif 000005
【図４】
2006253053.tif 000006
【図５】
2006253053.tif 000007
【図６】
2006253053.tif 000008
【図７】
2006253053.tif 000009
【図８】
2006253053.tif 000010